(57)【特許請求の範囲】
【請求項１】
頭皮ケア容器（２０）に結合されて液体の塗布が可能な頭皮ケア容器用栓（１０）において、
前記栓（１０）は、
弾性材質で形成され、下部が開放された円筒形状または多角形筒形状の上部栓胴体（１０１）と、前記上部栓胴体（１０１）の上部から前方に突出形成され、内側には貫通ホール（１０３）が形成された複数のブラシ（１０２）とから構成される上部栓（１００）と、
前記上部栓胴体（１０１）と結合されて、前記ケア容器（２０）に締結される下部が開放された円筒形状または多角形筒形状の容器ジョイント部（１１１"‘）と、前記容器ジョイント部（１１１"‘）の上部に形成される液体投入ホール（１１３"‘）と、前記液体投入ホール（１１３"‘）に挿入され、前記ブラシ（１０２）が形成された上部栓胴体（１０１）の底面と接触し、前記ブラシ（１０２）の圧力と弾性部材（１４３）の弾性力によって上下で動きながら液体の投入を開放または遮断する液体投入調節部材（１４０）で構成される下部栓（１１０”‘）で構成されることを特徴とする頭皮ケア容器用栓。
【請求項２】
前記上部栓（１００）と前記下部栓（１１０”‘）の間には所定空間（１３０）が形成されて、前記空間にはスポンジ（１２０）が装着されることを特徴とする請求項１に記載の頭皮ケア容器用栓。
【請求項３】
前記空間（１３０）は前記スポンジ（１２０）よりさらに大きく形成されることを特徴とする請求項２に記載の頭皮ケア容器用栓。
【請求項４】
前記液体投入調節部材（１４０）は、前記液体投入ホール（１１３"‘）に沿って上下に移動する移動軸（１４１）と、前記移動軸（１４１）の上端に形成され、前記上部栓胴体（１０１）の底面と接触し、前記上部栓（１００）の動きを前記移動軸（１４１）に伝達する上部ストッパー（１４２）と、前記容器ジョイント部（１１１"‘）の上部面と前記上部ストッパー（１４２）の間に挿入されて前記移動軸（１４１）の弾性復元力を付与する弾性部材（１４３）と、容器ジョイント部（１１１"‘）の下部に挟まれてパッキングの役割を遂行する下部ストッパー（１４４）でなされることを特徴とする請求項１に記載の頭皮ケア容器用栓。
【請求項５】
前記上部栓（１００）の前記ブラシ（１０２）上端には液体の投入を容易にするための溝（１０４）が形成されて、前記溝（１０４）を通じて液体が投入されることを特徴とする請求項１に記載の頭皮ケア容器用栓。
【発明の詳細な説明】
【技術分野】
【０００１】
本発明は、液体の塗布が可能な頭皮ケア容器用栓に関するものであり、より詳細には、普段には頭皮ケア用液体が漏洩しないで、栓のブラシを適当な圧力で頭皮にたたきながらマッサージをする時だけに頭皮側に液体が塗布されることができるようにする液体塗布が可能な頭皮ケア容器用栓に関するものである。
【背景技術】
【０００２】
一般に、脱毛の緩和または養毛のために指端や櫛などを利用して頭皮を、マッサージをし、頭皮に血液と栄養の供給が円滑になされるようにする方法が使われている。このようなマッサージ以外にも最近には脱毛緩和と養毛のための多様な機能性薬液が開発されて市場に供給されているし、染め付けのための多くの溶液らが販売されている。
【０００３】
このような機能性液体らはスプレー方式で振り撒くか、または手に振り撤いた後頭皮に塗る形態を取っている。染め付けの場合には櫛に溶液を塗布して髪の毛をくしけずる形式を取っている。しかし、スプレー方式の場合には毛髪によって機能性液体が頭皮に直接作用するのが難しくて、手に振り撤いた後頭皮に塗布する方式は機能性液体が手に直接接触されることに対する拒否感を与えやすくて、手の肌に吸収されるため使用量が過度に多くなる問題点があった。
【０００４】
特許出願第１０-２００５-００８１５８４号は、液状薬剤容器用塗布栓に関するものとして、液状の薬剤が貯蔵された包装容器に結合されて中央部に排出口が形成された栓本体と、前記栓本体の内部に外向弾力を維持して配置されて排出口を弾力的に開閉して容器内部に貯蔵された液状の薬剤を排出するか、または遮断する開閉部と、前記栓本体の先端部にキャップで固定されて排出される薬剤を吸収して患部に均一に塗布することができるようになされた塗布部を含んで、前記栓本体の排出口は等しい内径を設けて一定な長さで延長され、前記開閉部は前記排出口の内径に沿って密着された状態でスライド移動するように構成され、開閉部が所定の距離程度移動する場合だけに排出口を開放するように形成された液状薬剤容器用塗布栓に関する技術を提示している。
【０００５】
特許出願第１０-２０１３-００９２２９４号は、多機能融合孫の手装置に関するものとして、シャフト形状の胴体部と、前記胴体部に具備される折曲されたフォーク形状のスクレーパー部と、前記胴体部に具備されながら一つ以上の突出部材が形成された按摩体と、及び前記胴体部に具備され、液状の塗り剤が収容されることができる収容部及び前記液状の塗り剤が外部に流出されることができるように微細穿孔が形成された布部材を物理的に支持して前記収容部と着脱可能に結合されるカバーを含む塗布部と、前記収容部と着脱可能に結合されるパス付着部を含んで構成される多機能融合孫の手装置に関する技術を提示している。
【０００６】
実用新案登録出願第２０-２００１-００１４０５５号は、所定の薬液を頭皮及び毛髪に均一に塗るための薬液塗布用ヘアーブラシに関するものであり、ブラシ胴体に形成された櫛の歯に薬液流入管を形成して、薬液流入管の端部に薬液が付いて出て頭皮に薬液を塗布する薬液塗布用ボールを設置して、使用者一人で所定の薬液を頭皮及び毛髪に容易に塗布することができるし、薬液によって服または肌が損傷されることを防止することができる薬液塗布用ヘアーブラシに関する技術を提示している。
【０００７】
しかし、このような構成で液体収納部に液体容器を結合した状態で実際頭皮や毛髪に液体を塗布する前にも方向によって液体が漏洩されることができるし、また、内部に小さなボールを使用するために製造が難しくて製造費用が高くなる問題点があった。
【先行技術文献】
【特許文献】
【０００８】
【特許文献１】特許出願第１０−２００５−００８１５８４号
【特許文献２】特許出願第１０−２０１３−００９２２９４号
【特許文献３】実用新案登録出願第２０−２００１−００１４０５５号
【発明の概要】
【発明が解決しようとする課題】
【０００９】
前記のような問題点を勘案した本発明が解決しようとする課題は、使用をしない時には液体の流出が防止され、ブラシに弾性を付け加えて頭皮マッサージができる液体の塗布が可能な頭皮ケア容器用栓を提供することにある。
【００１０】
また、簡単な構造を使って故障の発生確率を減らして、製造費用を減らすことができる液体の塗布が可能な頭皮ケア容器用栓を提供することにある。
【課題を解決するための手段】
【００１１】
本発明は、前記のような目的を達成するために、頭皮ケア容器に結合されて液体の塗布が可能な頭皮ケア容器用栓において、前記栓は、前方に突き出された複数のブラシが設けられる上部栓と、前記上部栓と結合されて、前記ケア容器に締結される下部栓で構成されることを特徴とする頭皮ケア容器用栓を提供する。
【００１２】
本発明の上部栓は、下部が開放された円筒形状または多角形筒形状の上部栓胴体と、前記上部栓胴体の上部から前方に突出形成されて内側には貫通ホールが形成されたブラシでなされることを特徴とする。
【００１３】
本発明の下部栓は、下部が開放された円筒形状または多角形筒形状の上部栓ジョイント部と、前記上部栓ジョイント部の上部に形成される複数の液体投入ホールと、前記液体投入ホールの下部に形成される容器ジョイント部で構成されて、前記上部栓ジョイント部の外周面が前記上部栓胴体の内周面に密着されて固定されることを特徴とする。
【００１４】
本発明で上部栓と下部栓との間には所定空間が形成され、前記空間にはスポンジが装着されることを特徴とする。スポンジが設置されるために液体が急に噴出されることを防止することができるし、一定な量のみを投与することができる効果を有する。前記空間はスポンジと同じであるか、またはさらに大きく形成されることができる。また、前記空間がスポンジより小さく形成されることもできるが、スポンジより小さくする場合にもスポンジが圧縮される効果を有して、スポンジに染みこんだ液体が急にブラシの貫通ホールを通じて外部に流出されることを防止することもできる。
【００１５】
本発明の下部栓は、上部が開放された円筒形状または多角形筒形状の上部栓ジョイント部と、前記上部栓ジョイント部の下部に形成される複数の液体投入ホールと、前記液体投入ホールの下部に突出形成される容器ジョイント部で構成されて、前記上部栓ジョイント部の外周面が前記上部栓胴体の内周面に密着されて固定されることを特徴とする。
【００１６】
また、本発明の下部栓は、下部が開放された円筒形状または多角形筒形状の容器ジョイント部と、前記容器ジョイント部の上部に形成される複数の液体投入ホールで構成され、前記容器ジョイント部の外周面が前記上部栓胴体の内周面に密着されて固定されることを特徴とする。
【００１７】
また、本発明の下部栓は、下部が開放された円筒形状または多角形筒形状の容器ジョイント部と、前記容器ジョイント部の上部に形成される複数の液体投入ホールで構成されて、前記容器ジョイント部の外周面が前記上部栓胴体の内周面に密着されて固定されることを特徴とする。
【００１８】
また、本発明の下部栓は、下部が開放された円筒形状または多角形筒形状の容器ジョイント部と、前記容器ジョイント部の上部に形成される液体投入ホールと、前記液体投入ホールに挿入されてブラシの圧力と弾性部材の弾性力によって上下で動きながら液体の投入を開放または遮断する液体投入調節部材で構成されることを特徴とする。前記液体投入調節部材は、前記液体投入ホールに沿って上下に移動する移動軸と、前記移動軸の上端に形成される上部ストッパーと、容器ジョイント部の上部面と前記上部ストッパーとの間に挿入されて前記移動軸の弾性復元力を付与する弾性部材と、前記容器ジョイント部の下部に挟まれてパッキング役割を遂行する下部ストッパーでなされる。
【００１９】
また、本発明の上部栓は、下部が開放された円筒形状または多角形筒形状の上部栓胴体と、前記上部栓胴体の上部に複数に形成された貫通ホールでなされることを特徴とする。
【００２０】
本発明で、上部栓の外側には前記上部栓をカバーするためのカバーがさらに具備されることができる。カバーはプラスチックなど硬質のポリマーを利用することができるし、この場合ブラシが軟質であるためカバーだけでパッキング役割を遂行することができる。また、カバーは、下部が開放された円筒形状または多角形筒形状のカバー胴体と、前記ブラシの各貫通ホールを塞ぐための貫通ホールパッキング栓で構成されることを特徴とする。
【００２１】
本発明で、上部栓のブラシ上端には液体の投入を容易にするための溝が形成されて、前記溝を通じて液体が投入されることを特徴とする。
【発明の効果】
【００２２】
本発明液体の塗布が可能な頭皮ケア容器用栓は、栓に弾性を有するブラシを形成して、栓の内部にはスポンジを投入してブラシが頭皮に接触しながら圧力をかける場合にだけ液体を供給するようにして、使用をしない時に液体が漏洩することを防止することができる効果がある。
【００２３】
また、本発明は、ブラシを頭皮にたたけばこそ液体が供給されるため頭皮に弱い刺激を与えて頭皮の健康をはかることができる効果を有する。
【００２４】
また、本発明は、構造が簡単であるために故障の可能性がなくて、製造費用及び製造時間が少なくかかるという長所を有する。
【図面の簡単な説明】
【００２５】
【図１】本発明による栓が具備された頭皮ケア容器の斜視図である。
【図２】本発明による栓の第１実施例に対する断面図である。
【図３】第１実施例の下部栓に対する斜視図である。
【図４】本発明による栓の第２実施例に対する断面図である。
【図５】第２実施例の下部栓に対する斜視図である。
【図６】本発明による栓の第３実施例に対する断面図である。
【図７】本発明による栓の第４実施例に対する断面図である。
【図８】第３実施例及び第４実施例の下部栓に対する斜視図である。
【図９】本発明による上部栓に対する他の実施例である。
【図１０】本発明による栓の第５実施例に対する断面図である。
【図１１】第５実施例の下部栓及び液体投入調節部材に対する斜視図である。
【図１２】第５実施例の下部栓に対する斜視図である。
【図１３】第５実施例の液体投入調節部材に対する斜視図である。
【図１４】第５実施例で上部栓固定リングがさらに加えられた断面図である。
【図１５】図１４の固定リングの斜視図である。
【図１６】本発明による栓にカバーが付着された形態の斜視図及び断面図である。
【図１７】本発明による上部栓のブラシの斜視図及び断面図である。
【図１８】は本発明による栓が結合される頭皮ケア容器に対する斜視図である。
【発明を実施するための形態】
【００２６】
本発明を実施するための最善の形態は、頭皮ケア容器２０に結合されて液体の塗布が可能な頭皮ケア容器用栓１０において、前記栓１０は、前方に突き出された複数のブラシ１０２が設けられる上部栓１００と、前記上部栓１００と結合されて、前記ケア容器２０に締結される下部栓１１０で構成される。
【００２７】
以下、前記目的が具体的に実現することができる本発明の実施例らを添付された図面を参照して詳細に説明する。本実施例らを説明するにおいて同一構成に対しては同一名称及び符号が使われて、これによる付加的な説明は略することにする。
【００２８】
図１は、本発明による栓が具備された頭皮ケア容器の斜視図であり、図２は本発明による栓の第１実施例に対する断面図であり、図３は第１実施例の下部栓に対する斜視図であり、図４は本発明による栓の第２実施例に対する断面図であり、図５は第２実施例の下部栓に対する斜視図であり、図６は本発明による栓の第３実施例に対する断面図であり、図７は本発明による栓の第４実施例に対する断面図であり、図８は第３実施例及び第４実施例の下部栓に対する斜視図であり、図９は本発明による上部栓に対する他の実施例であり、図１０は本発明による栓の第５実施例に対する断面図であり、図１１は第５実施例の下部栓及び液体投入調節部材に対する斜視図であり、図１２は第５実施例の下部栓に対する斜視図であり、図１３は第５実施例の液体投入調節部材に対する斜視図であり、図１４は第５実施例で上部栓固定リングがさらに加えられた断面図であり、図１５は図１４の固定リングの斜視図であり、図１６は本発明による栓にカバーが付着された形態の斜視図及び断面図であり、図１７は本発明による上部栓のブラシの斜視図及び断面図であり、図１８は本発明による栓が結合される頭皮ケア容器に対する斜視図である。
【００２９】
図１は、本発明による栓が具備された頭皮ケア容器１に対する斜視図である。図面に示されたように、頭皮ケア容器１は栓１０と容器２０で構成される。
【００３０】
図２は、本発明による栓１０の第１実施例の断面図であり、図３は第１実施例の下部栓１１０の斜視図である。図面に示されたように、栓１０は上部栓１００と下部栓１１０でなされる。上部栓１００は下部が開放された円筒形状または多角形筒形状の上部栓胴体１０１と、前記上部栓胴体１０１の前方に突出形成されたブラシ１０２と、ブラシ１０２の内側に前記上部栓胴体１０１と連通される貫通ホール１０３で構成される。ブラシ１０２が構成された上部栓胴体１０１の上部は図面のように平面で形成されるか、またはふくらんでいるように形成されることができる。下部栓１１０は、下部が開放された円筒形状または多角形筒形状(図示せず)の上部栓ジョイント部１１４と、前記ジョイント部１１４の内側に下部が開放された形態で形成される容器ジョイント部１１１で構成され、前記容器ジョイント部１１１の上部には容器２０にある液体が流入されるように液体投入ホール１１３が設けられる。容器ジョイント部１１１の内側には螺糸山１１２が形成されて、前記螺糸山１１２を通じて容器２０が結合される。容器ジョイント部１１１は螺糸山以外の多様な結合方式で容器と結合することができる。例えば、ホック方式を利用するか、または容器くちばし部２２に複数のリングを形成し、栓１０を圧入する方式を利用することもでき、このような設計変更は本発明が属する技術分野で通常の知識を有した者に自明な事項に過ぎない。
【００３１】
また、上部栓１００と下部栓１１０の間には空間が形成され、前記空間１３０にはスポンジ１２０が挿入される。よって、前記液体投入ホール１１３に投入される液体は前記スポンジ１２０に染みこむようになって、前記スポンジ１２０に染みこんだ液体は容器２０を頭皮にたたく時その圧力でブラシ１０２の貫通ホール１０３に流出されながら頭皮に投与されることができるようになる。前記空間１２０はスポンジの大きさと等しくするか、またはスポンジの大きさよりさらに大きい嵩を有するように構成することもできる。スポンジ１２０より空間１３０がさらに大きい場合には前記空間に液体が一時貯蔵されることができるため、ブラシ１０２を頭皮にたたきながら圧力をかける場合空気の圧力によってさらに易しくて強く貫通ホール１０３を通じて液体が頭皮に投与されることができる。
【００３２】
前記上部栓１００は、一般に弾性がある材質で構成されることが望ましい。したがって、ゴムやシリコンまたは弾性がある軟質ポリマーなどを利用することができる。上部栓１００がゴムやシリコンなどで構成されるため、別途のパッキングが必要ないことがあって、必要によっては液体が放出されることを防止するために上部栓１００と下部栓１１０の結合部位にはパッキング(図示せず)がさらに付加することができる。
【００３３】
スポンジ１２０は液体を含むことはするが、易しく貫通されないものを使用することが望ましい。したがって、スポンジ１２０は高密度スポンジを使用することができる。また、スポンジ１２０を上部栓１００と下部栓１１０を密着することで、高密度で作った後に使用することもできる。一般には市中で使われる化粧品の粉貼素材をなすスポンジを使用することができる。また、スポンジ１２０を上部が開放された形態の円筒状に変形し、スポンジ１２０を上部栓１００と下部栓１１０に圧縮されるようにして使用することもできる。
【００３４】
下部栓１１０は化粧品や容器などに一般的に使われる硬質のプラスチックや金属材を使用することができる。
【００３５】
図４及び図５は、本発明による栓１０の第２実施例に対する図面である。図面に示されたように、上部栓１００は第１実施例と同じく、下部が開放された円筒状または多角形筒形状(図示せず)の上部栓胴体１０１と、前記上部栓胴体１０１の前方に突出形成されたブラシ１０２と、ブラシ１０２の内側に前記上部栓胴体１０１と連通される貫通ホール１０３で構成される。上部栓胴体１０１のブラシが形成される上部は平面またはふくらんでいるように形成することができる。下部栓１１０’は、第１実施例と異なり上部が開放された円筒形状または多角形筒形状(図示せず)の上部栓ジョイント部１１４’と、前記ジョイント部１１４’の内側に下部が開放された形態で形成される容器ジョイント部１１１'で構成され、前記容器ジョイント部１１１’の上部には容器２０にある液体が流入されるように液体投入ホール１１３’が設けられる。容器ジョイント部１１１’の内側には螺糸山１１２'が形成され、前記螺糸山１１２'を通じて容器２０が結合される。第１実施例で説明したように、容器ジョイント部１１１’は螺糸山以外の多様な結合方式で容器と結合することができる。例えば、ホック方式を利用するか、または容器くちばし部２２に複数のリングを形成し、栓１０を圧入する方式を利用することもでき、このような設計変更は本発明が属する技術分野で通常の知識を有した者に自明な事項に過ぎない。
【００３６】
また、上部栓１００と下部栓１１０’との間には空間が形成され、前記空間１３０にはスポンジ１２０が挿入される。よって、前記液体投入ホール１１３’を通じて投入される液体は、前記スポンジ１２０に染みこむようになって、前記スポンジ１２０に染みこんだ液体は容器２０を頭皮にたたく時その圧力でブラシ１０２の貫通ホール１０３に流出されながら頭皮に投与されることができるようになる。前記空間１２０はスポンジの大きさと同一であるか、またはスポンジの大きさよりさらに大きい嵩を有するように構成することもできる。スポンジ１２０より空間１３０がさらに大きい場合には前記空間に液体が一時貯蔵されることができるため。さらに易しく貫通ホール１０３を通じて液体が頭皮に投与されることができる。
【００３７】
前記上部栓１００は、一般に弾性がある材質で構成されることが望ましい。したがって、ゴムやシリコンまたは弾性がある軟質ポリマーなどを利用することができる。上部栓１００がゴムやシリコンなどで構成されるために別途のパッキングが必要ないことがあって、必要によっては液体が放出されることを防止するために上部栓１００と下部栓１１０’の結合部分にパッキング(図示せず)がさらに付加されることができる。
【００３８】
スポンジ１２０は液体を含むことはするが、易しく貫通されないものを使用することが望ましい。したがって、スポンジ１２０は高密度スポンジを使用することができる。また、スポンジ１２０を上部栓１００と下部栓１１０’を密着することで、高密度で作った後使用することもできる。一般には、市中で使われる化粧品の粉貼素材をなすスポンジを使用することができる。また、スポンジ１２０を上部が開放された形態の円筒状に変形してスポンジ１２０を上部栓１００と下部栓１１０’に圧縮されるようにして使用することもできる。
【００３９】
下部栓１１０’は化粧品や容器などに一般に使われる硬質のプラスチックや金属材を使用することができる。
【００４０】
図６及び図８は、本発明による第３実施例の栓に対する図面である。図面に示されたように、上部栓１００は第１実施例と同じく、下部が開放された円筒形状または多角形筒形状(図示せず)の上部栓胴体１０１と、前記上部栓胴体１０１の前方に突出形成されたブラシ１０２と、ブラシ１０２の内側に前記上部栓胴体１０１と連通される貫通ホール１０３で構成される。前記上部栓胴体１０１のブラシが形成される上部は平面またはふくらんでいるように形成することができる。下部栓１１０”は、第１実施例と上部栓ジョイント部１１４が形成されないで、下部が開放された円筒形状または多角形筒形状(図示せず)の容器ジョイント部１１１"と、前記容器ジョイント部１１１"の上部には容器２０にある液体が流入されるように液体投入ホール１１３"が設けられる。容器ジョイント部１１１"の内側には螺糸山１１２"が形成されて、前記螺糸山１１２"を通じて容器２０が結合される。第１実施例で説明したように、容器ジョイント部１１１"は螺糸山以外の多様な結合方式で容器と結合することができる。例えば、ホック方式を利用するか、または容器くちばし部２２に複数のリングを形成し、栓１０を圧入する方式を利用することもでき、このような設計変更は本発明が属する技術分野で通常の知識を有した者に自明な事項に過ぎない。
【００４１】
容器ジョイント部１１１"の外周面は、前記上部栓１００胴体１０１の内周面に一部挿入されて、前記上部栓１００と下部栓１１０”によって形成される空間１３０にはスポンジ１２０が挿入される。
【００４２】
したがって、前記液体投入ホール１１３"を通じて投入される液体は、前記スポンジ１２０に染みこむようになって、前記スポンジ１２０に染みこんだ液体は、容器２０を頭皮にたたく時その圧力でブラシ１０２の貫通ホール１０３に流出されながら頭皮に投与されることができるようになる。
【００４３】
前記上部栓１００は一般に弾性がある材質で構成されることが望ましい。したがって、ゴムやシリコンまたは弾性がある軟質ポリマーなどを利用することができる。上部栓１００がゴムやシリコンなどで構成されるため別途のパッキングが必要ないことがあって、必要によっては液体が放出されることを防止するために上部栓１００と下部栓１１０”の結合部分にはパッキング(図示せず)がさらに付加されることができる。
【００４４】
スポンジ１２０は液体を含むことはするが、易しく貫通されないものを使用することが望ましい。したがって、スポンジ１２０は高密度スポンジを使用することができる。また、スポンジ１２０を上部栓１００と下部栓１１０”を密着することで、高密度で作った後に使用することもできる。一般には市中で使われる化粧品の粉貼素材をなすスポンジを使用することができる。また、スポンジ１２０を上部が開放された形態の円筒状に変形してスポンジ１２０を上部栓１００と下部栓１１０”に圧縮されるようにして使用することもできる。
【００４５】
下部栓１１０”は化粧品や容器などに一般に使われる硬質のプラスチックや金属材を使用することができる。
【００４６】
図７及び図８は、第４実施例の栓１０に対する図面である。図面に示されたように、上部栓１００は第１実施例と同じく、下部が開放された円筒形状または多角形筒形状(図示せず)の上部栓胴体１０１と、前記上部栓胴体１０１の前方に突出形成されたブラシ１０２と、ブラシ１０２の内側に前記上部栓胴体１０１と連通される貫通ホール１０３で構成される。下部栓１１０”は、第１実施例と上部栓ジョイント部１１４が形成されないで、下部が開放された円筒形状または多角形筒形状(図示せず)の容器ジョイント部１１１”と、前記容器ジョイント部１１１”の上部には容器２０にある液体が流入されるように液体投入ホール１１３”が設けられる。容器ジョイント部１１１”の内側には螺糸山１１２"が形成され、前記螺糸山１１２"を通じて容器２０が結合される。第１実施例で説明したように、容器ジョイント部１１１”は螺糸山以外の多様な結合方式で容器と結合することができる。例えば、ホック方式を利用するか、または容器くちばし部２２に複数のリングを形成し、栓１０を圧入する方式を利用することもでき、このような設計変更は本発明が属する技術分野で通常の知識を有した者に自明な事項に過ぎない。容器ジョイント部１１１”の外周面は、前記上部栓１００胴体１０１の内周面に完全挿入されて固定され、前記上部栓１００と下部栓１１０”によって形成される空間１３０にはスポンジ１２０が挿入される。
【００４７】
したがって、前記液体投入ホール１１３”を通じて投入される液体は、前記スポンジ１２０に染みこむようになって、前記スポンジ１２０に染みこんだ液体は容器２０を頭皮にたたく時その圧力でブラシ１０２の貫通ホール１０３に流出されながら頭皮に投与されることができるようになる。
【００４８】
前記上部栓１００は一般に、弾性がある材質で構成されることが望ましい。したがって、ゴムやシリコンまたは弾性がある軟質ポリマーなどを利用することができる。上部栓１００がゴムやシリコンなどで構成されるため、別途のパッキングが必要ないことがあって、必要によっては液体が放出されることを防止するために上部栓１００と下部栓１１０”が結合される部分にはパッキング(図示せず)がさらに付加されることができる。
【００４９】
スポンジ１２０は液体を含むことはするが、易しく貫通されないものを使用することが望ましい。したがって、スポンジ１２０は高密度スポンジを使用することができる。また、スポンジ１２０を上部栓１００と下部栓１１０”を密着することで、高密度で作った後に使用することもできる。一般には市中で使われる化粧品の粉貼素材を成すスポンジを使用することができる。また、スポンジ１２０を上部が開放された形態の円筒状に変形してスポンジ１２０を上部栓１００と下部栓１１０”に圧縮されるようにして使用することもできる。
【００５０】
下部栓１１０”は化粧品や容器などに一般に使われる硬質のプラスチックや金属材を使用することができる。
【００５１】
図９は、本発明による上部栓１００’の他の実施例を示した図面である。図面に示されたように、上部栓１００’は胴体１０１’上部にブラシを形成しないで貫通ホール１０２’のみを形成している。肌や面積が広い大面積に液体を投与する必要がある場合に適用することができる。残りの下部栓１１０及びスポンジ１２０の構成は他の実施例をそのまま適用することができるので具体的な説明は略することにする。
【００５２】
図１０乃至図１５は、本発明による栓の第５実施例に対する図面である。図１０に示されたように、上部栓１００は複数のブラシ１０２と下部栓１１０”‘及びスポンジ１２０が挿入される空間を形成するための胴体１０１で構成される。上部栓１００は既説明された構成と等しいので、具体的な説明は略する。スポンジ１２０の構成も既説明されたものと等しくて、単にスポンジ１２０には液体投入調節部材１４０がスポンジ１２０の間に挿入される。図１０に示されたように下部栓１１０”‘は、容器ジョイント部１１１"'の上部中央に液体投入ホール１１３"'が設けられて、前記液体投入ホール１１３"'を通じて液体投入調節部材１４０が挿入される。ジョイント部１１'"'の内周面には螺糸山１１２"'が形成されて化粧品容器２０と結合される。液体投入調節部材１４０は、液体投入ホール１１３"'に沿って上下に移動する移動軸１４１と、移動軸１４１の上端に形成され、ブラシ１０２が形成された上部栓胴体１０１の底面と接触する上部ストッパー１４２と、上部ストッパー１４２と下部栓の容器ジョイント部１１１"'の上部面の間に位置する弾性部材１４３と、容器ジョイント部１１１"'の下部面で移動軸１４１の移動を制限して、前記液体投入ホール１１３"'を通じて投入される液体の投入を開放または閉鎖する下部ストッパー１４４で構成される。よって、下部ストッパー１４４はパッキングの役割を遂行するように軟質の合成樹脂やゴムなどの材質を利用して作われることができる。図１３は、液体投入調節部材１４０の分解斜視図を示している。一般に、上部ストッパー１４２は、移動軸１４１と一体で作って、下部ストッパー１４２は移動軸１４１を液体投入ホール１１３"'に挿入した後固定しなければならないため別に作られる。但し、上部ストッパー１４２も別途の部品で作われることができる。図面にて図示されたように、上部ストッパー１４２は上部栓胴体１０１の底面と接触するようになり、ブラシ１０２を頭皮にたたく場合、上部ストッパー１４２と共に移動軸１４１は、上部栓胴体１０１の動きによって一緒に動くようになり、ブラシ１０２が形成された上部栓胴体１０１が元の位置に復帰すると、弾性部材１４３の弾性復元力によって元の位置に復帰するようになる。
【００５３】
図１４と図１５は、第５実施例に固定リング１５０をさらに付け加えたものを示している。固定リング１５０は上部栓１００が下部栓１１０”‘に密着されるようにするための構成である。図面に示されたように、上部栓１００に下部栓１１０”‘が挟まれた後上部栓１００の外周面に固定リング１５０が圧嵌結合される。それによって上部栓１００の動きが固定されることができる。本固定リング１５０は本実施例だけでなく、他の実施例でも適用されることができる。
【００５４】
図１６は、栓１０にカバー３０を形成した図面を示している。図１６に示されたように、カバー３０は多様な形態で形成されることができる。図面ではカバー胴体３１と、カバー胴体３１の底面に形成されるパッキング栓３１で構成されたことを示している。パッキング栓３１には上部栓のブラシ１０２が挿入され、パッキング栓３１によってブラシ１０２の貫通ホール１０３を通じて液体が外部に放出されることを完全に遮断することができる。また、カバー３０だけで形成する場合でも、ブラシの端部がなす表面とカバーの表面がお互いに等しい場合にはカバー自体だけでもパッキング役割を遂行することができる。また、カバー内側に軟質のパッキング材(図示せず)を挿入することで、等しい効果を達成することができる。
【００５５】
図１７は、ブラシ１０２に溝１０４を形成したものを示している。図面に示されたように、ブラシ１０２の上端に溝１０４を形成しているが、前記溝１０４はブラシ１０２の上端に頭皮や肌などと接触する場合、頭皮や肌がパッキング役割をして液体が放出されることを難しくすることがある。よって、このような場合を備えてブラシ１０２の上端に溝１０４を形成することで、液体が易しく貫通ホール１０３を通じて頭皮などに投与されることができるようにする。
【００５６】
図１８は、容器２０に対する図面である。図面に示されたように、容器２０は多様な形態で形成されることができるし、(ａ)のように栓と結合されるくちばし部２２が胴体２１の直径に比べてとても細く形成されることができるし、(ｂ)のようにくちばし部２２'が大きく形成されることができるし、必要によってはくちばし部２２'が胴体２１'の直径と同じサイズで形成されることもできる。図１２(ａ)の場合は、栓１０が容器２０の直径と等しいであるか、または類似に形成されることができる。
【００５７】
このように本発明は、多様に変形実施が可能なものであり、本発明の望ましい実施例を有して説明したが、本発明はこのような実施例に限定されたものではなくて、本発明の請求範囲と詳細な説明で本発明が属する技術分野の通常の技術者が変形して使用することができる技術は、本発明の技術範囲に当然含まれると思わなければならないであろう。
【産業上の利用可能性】
【００５８】
本発明は、液体の塗布が可能な頭皮ケア容器用栓に関するものであり、普段には頭皮ケア用液体が漏洩しないで、栓のブラシを適当な圧力で頭皮にたたきながらマッサージをする時だけに頭皮側に液体が塗布されることができるようにする頭皮ケア容器用栓として産業上利用可能性が高い発明である。
【図１】
0006585730.tif 000002
【図２】
0006585730.tif 000003
【図３】
0006585730.tif 000004
【図４】
0006585730.tif 000005
【図５】
0006585730.tif 000006
【図６】
0006585730.tif 000007
【図７】
0006585730.tif 000008
【図８】
0006585730.tif 000009
【図９】
0006585730.tif 000010
【図１０】
0006585730.tif 000011
【図１１】
0006585730.tif 000012
【図１２】
0006585730.tif 000013
【図１３】
0006585730.tif 000014
【図１４】
0006585730.tif 000015
【図１５】
0006585730.tif 000016
【図１６】
0006585730.tif 000017
【図１７】
0006585730.tif 000018
【図１８】
0006585730.tif 000019